(57)【特許請求の範囲】
【請求項１】
少なくとも一方が透光性を有しており各々電極が形成されている対向する２枚の基板間に少なくとも１種以上の電気応答性材料を含む表示媒体が封入されていて、前記２枚の基板間に所定の電界が与えられる際に所望の表示をする、反射型表示装置を駆動する方法であって、
前記２枚の基板間に所望の表示の内容に応じて電界を与えて表示を書き換える表示書き換え工程と、
前記表示書き換え工程の繰り返し回数および前記反射型表示装置が使用される環境の温度に基づくリセットタイミングにおいて、前記２枚の基板間に第１電界を与えて第１色を表示させる第１リセットステップと、前記２枚の基板間に前記第１電界とは逆向きの第２電界を与えて第２色を表示させる第２リセットステップと、を交互に行うリセット工程と、
を備え、
前記表示書き換え工程を行う毎に前記環境の温度を環境温度として検出し、当該環境温度の積算値が所定の値を超えた時に前記リセットタイミングを決定する
ことを特徴とする反射型表示装置の駆動方法。
【請求項２】
少なくとも一方が透光性を有しており各々電極が形成されている対向する２枚の基板間に少なくとも１種以上の電気応答性材料を含む表示媒体が封入されていて、前記２枚の基板間に所定の電界が与えられる際に所望の表示をする、反射型表示装置を駆動する方法であって、
前記２枚の基板間に所望の表示の内容に応じて電界を与えて表示を書き換える表示書き換え工程と、
前記表示書き換え工程の有無にかかわらず経過する時間長および前記反射型表示装置が使用される環境の温度に基づくリセットタイミングにおいて、前記２枚の基板間に第１電界を与えて第１色を表示させる第１リセットステップと、前記２枚の基板間に前記第１電界とは逆向きの第２電界を与えて第２色を表示させる第２リセットステップと、を交互に行うリセット工程と、
を備え、
所定の時間周期で前記環境の温度を環境温度として検出し、当該環境温度の積算値が所定の値を超えた時に前記リセットタイミングを決定する
ことを特徴とする反射型表示装置の駆動方法。
【請求項３】
前記リセット工程において前記２枚の基板間に与えられる第１電界の大きさおよび第２電界の大きさは、それぞれ、前記表示書き換え工程において前記２枚の基板間に与えられる電界の大きさより大きい
ことを特徴とする請求項１または２に記載の反射型表示装置の駆動方法。
【請求項４】
少なくとも一方が透光性を有しており各々電極が形成されている対向する２枚の基板と、
前記２枚の基板間に封入された少なくとも１種以上の電気応答性材料を含む表示媒体と、
前記２枚の基板の各々の電極に電圧を印加する電圧印加制御部と、
を備えた反射型表示装置であって、
当該反射型表示装置が使用される環境の温度を環境温度として検出する温度センサが設けられ、
前記電圧印加制御部は、
前記２枚の基板間に所望の表示の内容に応じて電界を与えて表示を書き換える表示書き換え動作と、
前記表示書き換え動作の繰り返し回数および前記温度センサにより検出された環境温度に基づくリセットタイミングにおいて、前記２枚の基板間に第１電界を与えて第１色を表示させる第１リセットステップと、前記２枚の基板間に前記第１電界とは逆向きの第２電界を与えて第２色を表示させる第２リセットステップと、を交互に行うリセット動作と、
を行うように構成されており、
前記電圧印加制御部は、前記表示書き換え動作を行う毎に前記温度センサにより検出された環境温度を読み出し、当該環境温度の積算値が所定の値を超えた時に前記リセットタイミングを決定するように構成されている
ことを特徴とする反射型表示装置。
【請求項５】
少なくとも一方が透光性を有しており各々電極が形成されている対向する２枚の基板と、
前記２枚の基板間に封入された少なくとも１種以上の電気応答性材料を含む表示媒体と、
前記２枚の基板の各々の電極に電圧を印加する電圧印加制御部と、
を備えた反射型表示装置であって、
当該反射型表示装置が使用される環境の温度を環境温度として検出する温度センサが設けられ、
前記電圧印加制御部は、
前記２枚の基板間に所望の表示の内容に応じて電界を与えて表示を書き換える表示書き換え動作と、
前記表示書き換え動作の有無にかかわらず経過する時間長および前記温度センサより検出された環境温度に基づくリセットタイミングにおいて、前記２枚の基板間に第１電界を与えて第１色を表示させる第１リセットステップと、前記２枚の基板間に前記第１電界とは逆向きの第２電界を与えて第２色を表示させる第２リセットステップと、を交互に行うリセット動作と、
を行うように構成されており、
前記電圧印加制御部は、所定の時間周期で前記温度センサにより検出された環境温度を読み出し、当該環境温度の積算値が所定の値を超えた時に前記リセットタイミングを決定するように構成されている
ことを特徴とする反射型表示装置。
【請求項６】
前記リセット動作において前記２枚の基板間に与えられる第１電界の大きさおよび第２電界の大きさは、それぞれ、前記表示書き換え動作において前記２枚の基板間に与えられる電界の大きさより大きい
ことを特徴とする請求項４または５に記載の反射型表示装置。
【発明の詳細な説明】
【技術分野】
【０００１】
本発明は、電子ペーパー等に応用されている反射型表示装置の駆動方法に関する。
【背景技術】
【０００２】
反射型表示装置として、最近、表示媒体に含まれる電気応答性材料として電気泳動体を用いた電気泳動表示装置が広く用いられている。電気泳動表示装置とは、空気中または溶媒中の電気泳動体（通常は電気泳動する粒子）の電気的な泳動、すなわち粒子移動を利用して情報を表示する装置である。通常、２枚の基板間に電界を与えることで電気的な泳動の状態が制御され、それによって所望の表示が実現されるように構成される。電気泳動体としては、荷電粒子の他、荷電粉体をも利用され得る。その場合、当該荷電粉体は気体中を電気的に泳動する。
【０００３】
電気泳動表示装置は、近年では特に、電子ペーパーとしての応用が注目されている。電子ペーパーとして応用する場合には、印刷物レベルの視認性（目にやさしい）、情報書き換えの容易性、低消費電力、軽量といった利点を享受できる。
【０００４】
電気泳動表示装置の１つのタイプの構造をより詳しく説明すると、一方の基板と他方の基板との間には、複数の表示領域を覆う共通電極と、電気泳動体を含む表示媒体が配置された表示媒体層と、複数の表示領域の各々に対応する複数の表示電極とが、一方の基板側から他方の基板側に向かって当該順序で設けられており、共通電極は、ＧＮＤ電位を接続されており、複数の表示領域の各々は、当該表示領域に対応する表示電極に印加される電圧の極性に応じて、第１色および第２色のうちいずれか一方の表示色を共通電極側（視認側）に選択的に表示可能である。
【０００５】
具体的には、例えば、表示媒体中に正に帯電した黒色の電気泳動粒子と負に帯電した白色の電気泳動粒子とが含まれる場合、表示電極に正電圧が印加されると、黒色の電気泳動粒子および白色の電気泳動粒子にそれぞれ電気的な力が作用して、白色の電気泳動粒子が表示電極側に移動すると共に、黒色の電気泳動粒子が共通電極側に移動する。これにより、表示領域の共通電極側には黒色が表示される。一方、表示電極に負電圧が印加されると、白色の電気泳動粒子が共通電極側に移動すると共に、黒色の電気泳動粒子が表示電極側に移動する。これにより、表示領域の共通電極側には白色が表示される。表示電極にＧＮＤ電位を接続されると（すなわち、表示電極への電圧印加が停止されると）、黒色の電気泳動粒子および白色の電気泳動粒子にそれぞれ作用していた電気的な力が消失するため、黒色の電気泳動粒子および白色の電気泳動粒子は各々その場に静止する。これにより、表示領域の表示色は保持される。
【０００６】
特許文献１（特開２００６−５８５６８号）には、長時間同じ表示を継続することによる焼き付きを防止するために、一定時間書き換えが無い場合に、反転画像を書き込み、その後単一色を表示させる、という方法が記載されている。
【先行技術文献】
【特許文献】
【０００７】
【特許文献１】特開２００６−５８５６８号公報
【発明の概要】
【発明が解決しようとする課題】
【０００８】
ところで、電気泳動表示装置では、連続駆動を行うと、表示書き換え毎に電極に吸着して離れない電気泳動粒子の数が増えていくことで、残像が蓄積されていく、という問題がある。また、表示書き換え動作が行われずに長時間放置されると、表示媒体の流動性が低下する、すなわち粘性が高まることで、応答速度が鈍化する、という問題もある。
【０００９】
また、ツイストボール方式の反射型表示装置では、長期放置や連続駆動により、回転粒子同士の凝集が生じることで、動作不良が引き起こされる、という問題がある。
【００１０】
本発明は、以上のような問題点に着目し、これを有効に解決すべく創案されたものである。本発明の目的は、長期放置または連続駆動による動作不良を解消することができる反射型表示装置の駆動方法を提供することにある。また、本発明の目的は、そのような駆動方法に対応できる反射型表示装置を提供することにある。
【課題を解決するための手段】
【００１１】
本発明は、少なくとも一方が透光性を有しており各々電極が形成されている対向する２枚の基板間に少なくとも１種以上の電気応答性材料を含む表示媒体が封入されていて、前記２枚の基板間に所定の電界が与えられる際に所望の表示をする、反射型表示装置を駆動する方法であって、前記２枚の基板間に所望の表示の内容に応じて電界を与えて表示を書き換える表示書き換え工程と、前記表示書き換え工程の繰り返し回数に基づくリセットタイミングにおいて、前記２枚の基板間に第１電界を与えて第１色を表示させる第１リセットステップと、前記２枚の基板間に前記第１電界とは逆向きの第２電界を与えて第２色を表示させる第２リセットステップと、を交互に行うリセット工程と、を備えたことを特徴とする反射型表示装置の駆動方法である。
【００１２】
好ましくは、前記表示書き換え工程の繰り返し回数、および、前記反射型表示装置が使用される環境の温度に基づいて前記リセットタイミングを決定する。
【００１３】
この場合、具体的には、例えば、前記表示書き換え工程を行う毎に前記環境の温度を環境温度として検出し、当該環境温度の積算値が所定の値を超えた時に前記リセットタイミングを決定する。
【００１４】
また、好ましくは、前記リセット工程において前記２枚の基板間に与えられる第１電界の大きさおよび第２電界の大きさは、それぞれ、前記表示書き換え工程において前記２枚の基板間に与えられる電界の大きさより大きい。
【００１５】
また、本発明は、前記のような駆動方法に対応できる反射型表示装置である。すなわち、少なくとも一方が透光性を有しており各々電極が形成されている対向する２枚の基板と、前記２枚の基板間に封入された少なくとも１種以上の電気応答性材料を含む表示媒体と、前記２枚の基板の各々の電極に電圧を印加する電圧印加制御部と、を備え、前記電圧印加制御部は、前記２枚の基板間に所望の表示の内容に応じて電界を与えて表示を書き換える表示書き換え動作と、前記表示書き換え動作の繰り返し回数に基づくリセットタイミングにおいて、前記２枚の基板間に第１電界を与えて第１色を表示させる第１リセットステップと、前記２枚の基板間に前記第１電界とは逆向きの第２電界を与えて第２色を表示させる第２リセットステップと、を交互に行うリセット動作と、を行うように構成されていることを特徴とする反射型表示装置である。
【００１６】
好ましくは、当該反射型表示装置が使用される環境の温度を環境温度として検出する温度センサが設けられ、前記電圧印加制御部は、前記表示書き換え動作の繰り返し回数、および、前記温度センサにより検出された環境温度に基づいて前記リセットタイミングを決定するように構成されている。
【００１７】
この場合、具体的には、例えば、前記電圧印加制御部は、前記表示書き換え動作を行う毎に前記温度センサにより検出された環境温度を読み出し、当該環境温度の積算値が所定の値を超えた時に前記リセットタイミングを決定するように構成されている。
【００１８】
また、好ましくは、前記リセット動作において前記２枚の基板間に与えられる第１電界の大きさおよび第２電界の大きさは、それぞれ、前記表示書き換え動作において前記２枚の基板間に与えられる電界の大きさより大きい。
【００１９】
また、本発明は、少なくとも一方が透光性を有しており各々電極が形成されている対向する２枚の基板間に少なくとも１種以上の電気応答性材料を含む表示媒体が封入されていて、前記２枚の基板間に所定の電界が与えられる際に所望の表示をする、反射型表示装置を駆動する方法であって、前記２枚の基板間に所望の表示の内容に応じて電界を与えて表示を書き換える表示書き換え工程と、前記表示書き換え工程の有無にかかわらず経過する時間長に基づくリセットタイミングにおいて、前記２枚の基板間に第１電界を与えて第１色を表示させる第１リセットステップと、前記２枚の基板間に前記第１電界とは逆向きの第２電界を与えて第２色を表示させる第２リセットステップと、を交互に行うリセット工程と、を備えたことを特徴とする反射型表示装置の駆動方法である。
【００２０】
好ましくは、前記経過する時間長、および、前記反射型表示装置が使用される環境の温度に基づいて前記リセットタイミングを決定する。
【００２１】
この場合、具体的には、例えば、所定の時間周期で前記環境の温度を環境温度として検出し、当該環境温度の積算値が所定の値を超えた時に前記リセットタイミングを決定する。
【００２２】
また、好ましくは、前記リセット工程において前記２枚の基板間に与えられる第１電界の大きさおよび第２電界の大きさは、それぞれ、前記表示書き換え工程において前記２枚の基板間に与えられる電界の大きさより大きい。
【００２３】
また、本発明は、前記のような駆動方法に対応できる反射型表示装置である。すなわち、少なくとも一方が透光性を有しており各々電極が形成されている対向する２枚の基板と、前記２枚の基板間に封入された少なくとも１種以上の電気応答性材料を含む表示媒体と、前記２枚の基板の各々の電極に電圧を印加する電圧印加制御部と、を備え、前記電圧印加制御部は、前記２枚の基板間に所望の表示の内容に応じて電界を与えて表示を書き換える表示書き換え動作と、前記表示書き換え動作の有無にかかわらず経過する時間長に基づくリセットタイミングにおいて、前記２枚の基板間に第１電界を与えて第１色を表示させる第１リセットステップと、前記２枚の基板間に前記第１電界とは逆向きの第２電界を与えて第２色を表示させる第２リセットステップと、を交互に行うリセット動作と、を行うように構成されていることを特徴とする反射型表示装置である。
【００２４】
好ましくは、当該反射型表示装置が使用される環境の温度を環境温度として検出する温度センサが設けられ、前記電圧印加制御部は、前記表示書き換え動作の有無にかかわらず経過する時間長、および、前記温度センサより検出された環境温度に基づいて前記リセットタイミングを決定するように構成されている。
【００２５】
この場合、具体的には、例えば、前記電圧印加制御部は、所定の時間周期で前記温度センサにより検出された環境温度を読み出し、当該環境温度の積算値が所定の値を超えた時に前記リセットタイミングを決定するように構成されている。
【００２６】
また、好ましくは、前記リセット動作において前記２枚の基板間に与えられる第１電界の大きさおよび第２電界の大きさは、それぞれ、前記表示書き換え動作において前記２枚の基板間に与えられる電界の大きさより大きい。
【発明の効果】
【００２７】
本発明によれば、反射型表示装置において、長期放置または連続駆動による動作不良を解消することができる。
【図面の簡単な説明】
【００２８】
【図１】図１は、本発明の一実施の形態による反射型表示装置を概略的に示す平面図である。
【図２】図２は、図１に示す反射型表示装置のＡ−Ａ線切断断面図である。
【図３】図３は、図１に示す反射型表示装置における表示書き換え工程を説明するための図である。
【図４】図４は、図１に示す反射型表示装置におけるリセット工程の一例を説明するための図である。
【図５】図５は、図１に示す反射型表示装置におけるリセット構成の別例の別例を説明するための図である。
【発明を実施するための形態】
【００２９】
以下に、添付の図面を参照して、本発明の実施の形態を詳細に説明する。
【００３０】
図１は、本発明の一実施の形態による反射型表示装置を概略的に示す平面図である。図２は、図１に示す反射型表示装置のＡ−Ａ線切断断面図である。
【００３１】
図１および図２に示すように、本実施の形態による反射型表示装置１０は、少なくとも一方が透光性を有しており各々電極１２または１５ａ〜１５ｈが形成されている対向する２枚の基板１１、１６間に少なくとも１種以上の電気応答性材料を含む表示媒体１３が封入されていて、前記２枚の基板１１、１６間に所定の電界が与えられる際に所望の表示をするようになっている。ここで、本件の明細書および特許請求の範囲において「透光性」とは、光を通過する性質、という程度の意味である。本実施の形態においては、視認側に配置される基板は、全光透過率が５０％以上、好ましくは８０％以上、さらに好ましくは９０％以上となるような透光性を有している。
【００３２】
本実施の形態では、図１および図２に示すように、一方の基板１１と他方の基板１６との間には、複数（図示された例では８つ）の表示領域１８ａ〜１８ｈを覆う１つまたは２つ以上（図示された例では１つ）の共通電極１２と、表示媒体１３が配置された表示媒体層と、複数の表示領域１８ａ〜１８ｈの各々に対応する複数（図示された例では８つ）の表示電極１５ａ〜１５ｈとが、一方の基板１１側から他方の基板１６側に向かって当該順序で設けられている。ここで「表示領域」とは、反射型表示装置１０において所望の表示に利用される領域、という意味である。
【００３３】
本実施の形態では、図２に示すように、一方の基板１１が視認側に配置され、他方の基板１６が非視認側に配置される。
【００３４】
一方の基板１１としては、ポリエチレン（ＰＥ）、ポリエチレンテレフタレート（ＰＥＴ）、ポリエーテルサルフォン（ＰＥＳ）、ポリエチレンナフタレート（ＰＥＮ）等の透光性フィルムや透光性ガラスに、共通電極１２として、酸化インジウムスズ（ＩＴＯ）、酸化亜鉛（ＺｎＯ）、酸化スズ（ＳｎＯ）等の透光性電極を付したものが、典型的に用いられる。本実施の形態の共通電極１２は、セグメント駆動用の共通電極として形成されている。
【００３５】
共通電極１２は、塗工法やスパッタリング法、真空蒸着法、ＣＶＤ法等によって、少なくとも一方の基板１１の複数の表示領域１８ａ〜１８ｈを覆うように形成される。共通電極１２は、必ずしもパターンが形成されている必要は無く、基板全面が電極であってもよい。
【００３６】
一方の基板１１の厚みは、１０μｍ〜１ｍｍが好適である。１０μｍよりも薄いと、パネルとしての強度を得ることができず、破損に至る危険度が増す一方、１ｍｍよりも厚いと、パネル重量が重くなり過ぎて取り扱いが不便になるし、コストも高くなるからである。破損しにくく取り扱いが容易である好適な厚みの範囲は、５０μｍ〜３００μｍ程度である。
【００３７】
一方の基板１１は、ロール状でもシート状でもどちらでも適用可能である。
【００３８】
他方の基板１６としては、樹脂フィルム、樹脂板、ガラス、エポキシガラス（ガラエポ）等の基材が用いられ、当該基材の表示媒体１３側となる面に、金属等の導電性材料によって表示電極１５ａ〜１５ｈが形成されたものが用いられ得る。本実施の形態の表示電極１５ａ〜１５ｈは、セグメント駆動用のパターン状の電極（セグメント電極）として形成されている。
【００３９】
より詳しくは、図１に示すように、表示電極１５ａ〜１５ｈは、いわゆる７セグメント表示器の駆動電極を構成しており、横長の第１表示電極１５ａと、第１表示電極１５ａの左端から下向きに延びる縦長の第２表示電極１５ｂと、第１表示電極１５ａの右端から下向きに延びる縦長の第３表示電極１５ｃと、第２表示電極１５ｂの下端と第３表示電極１５ｃの下端との間を左右に延びる横長の第４表示電極１５ｄと、第４表示電極１５ｄの左端から下向きに延びる縦長の第５表示電極１５ｅと、第４表示電極１５ｄの右端から下向きに延びる縦長の第６表示電極１５ｆと、第５表示電極１５ｅの下端と第６表示電極１５ｆの下端との間を左右に延びる横長の第７表示電極１５ｇと、第１乃至第７表示電極１５ａ〜１５ｆの外側を覆うように設けられた第８表示電極１５ｈと、を含んでいる。
【００４０】
反射型表示装置１０における各表示領域１８ａ〜１８ｈは、個々の表示電極１５ａ〜１５ｈによって規定される。なお、本明細書では、第１表示電極１５ａによって規定される表示領域１８ａを第１表示領域、第２表示電極１５ｂによって規定される表示領域１８ｂを第２表示領域、第３表示電極１５ｃによって規定される表示領域１８ｃを第３表示領域、第４表示電極１５ｄによって規定される表示領域１８ｄを第４表示領域、第５表示電極１５ｅによって規定される表示領域１８ｅを第５表示領域、第６表示電極１５ｆによって規定される表示領域１８ｆを第６表示領域、第７表示電極１５ｇによって規定される表示領域１８ｇを第７表示領域、第８表示電極１５ｈによって規定される表示領域１８ｈを第８表示領域、と呼ぶことがある。
【００４１】
他方の基板１６には、透光性を有する基材が用いられてもよい。さらに透光性を有しているが不透明な基材であってもよく、電極面とは異なるもう一方の面を粗面化した不透明なガラス基材、樹脂フィルム、樹脂板、ガラス、エポキシガラス（ガラエポ）等が用いられ得る。本実施の形態では、図２に示すように、他方の基板１６は、視認側と反対側の位置に配置されるため、透光性を有している必然性はない。しかし、熱膨張特性など一方の基板１１と同じ物性が必要とされる場合は、一方の基板１１と同様の透光性の部材が使用され得る。
【００４２】
他方の基板１６の厚みも、一方の基板１１の厚みと同様に、１０μｍ〜１ｍｍが好適である。１０μｍよりも薄いと、パネルとしての強度を得ることができず、破損に至る危険度が増す一方、１ｍｍよりも厚いと、パネル重量が重くなり過ぎて取り扱いが不便になりし、コストも高くなるからである。破損しにくく取り扱いが容易である好適な厚みの範囲は、５０μｍ〜３００μｍ程度である。
【００４３】
他方の基板１６も、ロール状でもシート状でもどちらでも適用可能である。
【００４４】
本実施の形態の表示媒体層は、一方の基板１１と他方の基板１６との間において複数のセルを区画する隔壁１４を有しており、各セル内に、表示媒体１３が配置されている。ここで、「セル」とは、電気泳動体の沈降や偏在に起因する表示の不良、特にコントラストの低下を防止するべく２枚の基板１１、１６間において分割された、電気泳動体の微小な泳動空間、すなわち移動空間を意味する。なお、当該移動空間は、マイクロカプセル等、他の構造物によって分割されてもよい。また、電気泳動体の沈降や偏在のおそれが低い場合には、２枚の基板１１、１６間の空間は、このような構造物によって分割されていなくてもよい。
【００４５】
隔壁１４は、紫外線硬化樹脂、熱硬化樹脂、常温硬化樹脂等によって構成可能であり、隔壁１４の形成方法は、フォトリソグラフィ法の他、エンボス加工などの型転写方法も採用され得る。さらに、所望のパターンの構造物を隔壁として製造しておいて、それを一方の基板１１に貼り付けるという方法も採用され得る。開口率は、７０％以上が好ましく、特に９０％以上が好ましい。高開口率であるほど、表示可能エリアが広くなるため、高コントラストを得ることができる。
【００４６】
隔壁１４の単位パターンの形状は、円、格子、六角形、その他の多角形など、基本的に任意である。また、セルのサイズ（ピッチ）は、表示パネルの大きさにもよるが、０．０５ｍｍ〜１ｍｍピッチ、好ましくは０．１ｍｍ〜０．５ｍｍピッチである。ここで、ピッチとは、隣接するセルの中心点間の距離を意味している。
【００４７】
隔壁１４の高さは、５μｍ〜５０μｍ、好ましくは１０μｍ〜５０μｍである。５μｍ以下では、充填するインキ量が少なく、十分な表示特性、特にコントラストが得られない一方、５０μｍ以上では、パネルの厚みが厚すぎて、駆動電圧が上昇し過ぎてしまう。低駆動電圧で良好な表示特性が得られるという観点から、１０μｍ〜５０μｍの範囲の高さが好適である。
【００４８】
隔壁１４の頂面と、他方の基板１６上の表示電極１５ａ〜１５ｈまたは他方の基板１６と、の間には、隔壁１４の頂面と、他方の基板１６上の表示電極１５ａ〜１５ｈまたは他方の基板１６と、を接着させるための接着層（不図示）が設けられていてもよい。
【００４９】
接着層は、例えば転写法や印刷法により、ポリエステル系熱可塑性接着剤のような熱可塑性樹脂が、１μｍ〜１００μｍの厚みで形成される。好ましくは、１μｍ〜５０μｍの厚みで形成され、特に好ましくは、１μｍ〜２０μｍの厚みで形成される。
【００５０】
接着層を形成するための接着剤としては、熱可塑性材料を用いた接着剤が好ましく、加熱により軟化して、冷却すると固化する性質を有し、冷却と加熱を繰り返した場合に、組成が可逆的に保たれる材料である。
【００５１】
接着層として、具体的には、例えば、エチレン−酢酸ビニル共重合体、ポリエステル、ポリアミド、ポリオレフィン、ポリウレタンなどの熱可塑性ベースポリマーや、天然ゴム、スチレン−ブタジエンブロック共重合体、スチレン−イソプレンブロック共重合体、スチレン−エチレン−ブチレン−スチレンブロック共重合体、スチレン−エチレン−プロピレン−スチレン共重合体などの熱可塑性エラストマーを主成分とし、粘着性付与樹脂や可塑剤を配合した樹脂が主に使用される。
【００５２】
隔壁１４と接着層との密着性を上げるために、隔壁１４に紫外線照射やプラズマ処理などにより表面処理が施されてもよいし、プライマーが形成されてもよい。あるいは、接着層の方にシランカップリング剤が添加されてもよい。
【００５３】
表示媒体１３は、少なくとも１種以上の電気応答性材料を含んでいる。電気応答性材料としては、白色や黒色、カラーなどの色づけされた荷電粒子が電界に応答して移動する、いわゆる電気泳動粒子、または、粒子が二色に色分けされ電界により回転するツイストボールに代表される回転粒子、または、電界により移動するナノ粒子材料などが用いられる。
【００５４】
本実施の形態においては、表示媒体１３は、液体状の分散媒と、当該分散媒に分散された白色の電気泳動粒子および黒色の電気泳動粒子と、を含んでいる。黒色の電気泳動粒子は、正に帯電されており、白色の電気泳動粒子は、負に帯電されている。これにより、表示電極１５ａ〜１５ｈの電位が共通電極１２の電位よりも低くされると、正に帯電した黒色の電気泳動粒子が、分散媒中を表示電極１５ａ〜１５ｈ側に引き寄せられるように泳動し、負に帯電した白色の電気泳動粒子が、分散媒中を共通電極１２側に引き寄せられるように泳動するようになっている。また、表示電極１５ａ〜１５ｈの電位が共通電極１２の電位よりも高くされると、正に帯電した黒色の電気泳動粒子が、分散媒中を共通電極１２側に引き寄せられるように泳動し、負に帯電した白色の電気泳動粒子が、分散媒中を表示電極１５ａ〜１５ｈ側に引き寄せられるように泳動するようになっている。そして、このような白色の電気泳動粒子および黒色の電気泳動粒子の泳動を制御することにより、各表示領域１８ａ〜１８ｈにおいて、白色および黒色のうちいずれか一方の表示色を共通電極１２側（すなわち、視認側）に選択的に表示できるようになっている。
【００５５】
本実施の形態では、図１および図２に示すように、表示媒体１３は外周シール１７によって取り囲まれている。図示された例では、反射型表示装置１０は矩形状であり、これに対応して、外周シール１７は矩形状に配置されている。
【００５６】
外周シール１７は、一方の基板１１上、あるいは、他方の基板１６上に、例えば紫外線硬化樹脂のような接着剤が、ディスペンサを用いて矩形状に塗布され、その後に紫外線によって硬化されることで形成されている。紫外線硬化樹脂の他に、熱硬化樹脂、常温硬化樹脂、ヒートシール樹脂等によっても構成可能である。また、外周シール１７は、ディスペンサの他に、各種の印刷法によって、あるいは、熱圧着によって配置可能である。
【００５７】
図１に示すように、反射型表示装置１０は、更に、各表示電極１５ａ〜１５ｈにそれぞれ電圧を印加する電圧印加制御部１９を備えている。
【００５８】
電圧印加制御部１９は、共通電極１２および各表示電極１５ａ〜１５ｈに電気的に接続されており、共通電極１２および各表示電極１５ａ〜１５ｈに個別に、少なくとも第１電位（例えば＋３０Ｖ）と、第２電位（例えば０Ｖ）と、第１電位と第２電位との間である第３電位（例えば＋１５Ｖ）と、を選択的に接続可能である。言い換えれば、電圧印加制御部１９は、共通電極１２および各表示電極１５ａ〜１５ｈに個別に、少なくとも第３電位（すなわち＋１５Ｖ）と、第３電位に対して正の極性の第１電位（すなわち＋３０Ｖ）と、第３電位に対して負の極性の第２電位（すなわち０Ｖ）と、を選択的に接続可能である。なお、第３電位は、第１電位と第２電位との間であれば、第１電位と第２電位との厳密に真ん中であることに限定されず、第２電位より第１電位に近くてもよいし、第１電位より第２電位に近くてもよい。
【００５９】
本実施の形態では、電圧印加制御部１９は、表示書き換えタイミングにおいて、２枚の基板１１、１６間に所望の表示の内容に応じて電界を与えて表示を書き換える表示書き換え工程を行うように構成されている。より詳しくは、電圧印加制御部１９は、表示書き換えタイミングにおいて、共通電極１２には、第３電位（すなわち＋１５Ｖ）を接続し、各表示電極１５ａ〜１５ｈには、表示すべき画像の情報に基づいて、第１電位（すなわち＋３０Ｖ）と第２電位（すなわち０Ｖ）と第３電位（すなわち＋１５Ｖ）のうちいずれかを選択的に接続するように構成されている。
【００６０】
具体的には、例えば、表示書き換えタイミングにおいて、黒色から白色に表示色を切り替えるべき表示領域（例えば第１表示領域１８ａ）については、電圧印加制御部１９は、共通電極１２に第３電位（すなわち＋１５Ｖ）を接続するとともに、第１表示電極１５ａに第２電位（すなわち０Ｖ）を所定の書き込み時間長（例えば３００ｍｓ〜４００ｍｓ）だけ接続するようになっている。これにより、共通電極１２の電位に対する第１表示電極１５ａの電位の極性が負となり、負に帯電した白色の電気泳動粒子が共通電極１２に吸着されると共に、正に帯電した黒色の電気泳動粒子が第１表示電極１５ａに吸着され、結果的に、第１表示領域１８ａの共通電極１２側（視認側）には白色が表示される。その後、電圧印加制御部１９は、第１表示電極１５ａにも第３電位（すなわち＋１５Ｖ）を接続するようになっている。これにより、共通電極１２の電位と第１表示電極１５ａの電位とが同電位となり、黒色の電気泳動粒子および白色の電気泳動粒子は各々その場に静止し、結果的に、第１表示領域１８ａの白色の表示色がそのまま保持される。
【００６１】
また、表示書き換えタイミングにおいて、白色から黒色に表示色を切り替えるべき表示領域（例えば第２表示領域１８ｂ）については、電圧印加制御部１９は、共通電極１２に第３電位（すなわち＋１５Ｖ）を接続するとともに、第２表示電極１５ｂに第１電位（すなわち＋３０Ｖ）を所定の書き込み時間長（例えば３００ｍｓ〜４００ｍｓ）だけ接続するようになっている。これにより、共通電極１２の電位に対する第２表示電極１５ｂの電位の極性が正となり、正に帯電した黒色の電気泳動粒子が共通電極１２に吸着されると共に、負に帯電した白色の電気泳動粒子が第２表示電極１５ｂに吸着され、結果的に、第２表示領域１８ｂの共通電極１２側（視認側）には黒色が表示される。その後、電圧印加制御部１９は、第２表示電極１５ｂにも第３電位（すなわち＋１５Ｖ）を接続するようになっている。これにより、共通電極１２の電位と第２表示電極１５ｂの電位とが同電位となり、黒色の電気泳動粒子および白色の電気泳動粒子は各々その場に静止し、結果的に、第２表示領域１８ｂの黒色の表示色がそのまま保持される。
【００６２】
また、表示書き換えタイミングにおいて、表示色をそのまま保持すべき表示領域（例えば第３表示領域１８ｃ）については、電圧印加制御部１９は、共通電極１２に第３電位（すなわち＋１５Ｖ）を接続するとともに、第３表示電極１５ｃにも第３電位（すなわち＋１５Ｖ）を接続するようになっている。共通電極１２と第３表示電極１５ｃとが同電位（すなわち＋１５Ｖ）に接続されることで、黒色の電気泳動粒子および白色の電気泳動粒子は各々その場に静止し、結果的に、第３表示領域１８ｃの表示色がそのまま保持される。
【００６３】
なお、本明細書において「表示書き換えタイミング」とは、反射型表示装置１０において観察者に対して所望の表示画像を改めて表示するタイミング、という意味であり、例えばデジタル表示時計のように所定の周期、例えば１ｓで繰り返すタイミングであってもよいし、電卓のように手動で不規則的に与えられるタイミングであってもよい。
【００６４】
また、電圧印加制御部１９は、大きさＶの電圧を時間長Ｔだけ印加する場合、大きさＶの電圧を時間長Ｔだけ連続して印加するようになっていてもよいし、大きさＶで時間長（パルス幅）Ｗのパルス状の電圧をＴ／Ｗ回だけ繰り返し印加するようになっていてもよい。
【００６５】
また、本実施の形態では、電圧印加制御部１９は、表示書き換え工程の繰り返し回数に基づくリセットタイミングにおいて、２枚の基板１１、１６間に第１電界を与えて第１色（黒色）を表示させる第１リセットステップと、２枚の基板１１、１６間に第１電界とは逆向きの第２電界を与えて第２色（白色）を表示させる第２リセットステップと、を交互に行うリセット工程を行うように構成されている。より詳しくは、電圧印加制御部１９は、表示書き換え工程の繰り返し回数に基づくリセットタイミングにおいて、共通電極１２には第３電位（すなわち＋１５Ｖ）を接続し、各表示電極１５ａ〜１５ｈには第１電位（すなわち＋３０Ｖ）を接続することで、各表示領域１８ａ〜１８ｈに黒色を表示させる第１リセットステップと、共通電極１２には第３電位（すなわち＋１５Ｖ）を接続し、各表示電極１５ａ〜１５ｈには第２電位（すなわち０Ｖ）を接続することで、各表示領域１８ａ〜１８ｈに白色を表示させる第２リセットステップと、を交互に行うように構成されている。本実施の形態では、電圧印加制御部１９は、リセット工程を第１リセットステップから開始するように構成されているが、これに限定されず、リセット工程を第２リセットステップから開始するように構成されていてもよい。
【００６６】
図１に示すように、電圧印加制御部１９には、反射型表示装置１０が使用される環境の温度を環境温度として検出する温度センサ２０が接続されており、電圧印加制御部１９は、表示書き換え工程の繰り返し回数、および、温度センサ２０により検出された環境温度に基づいてリセットタイミングを決定するように構成されている。なお、本明細書において、反射型表示装置１０が使用される環境の温度とは、反射型表示装置１０の外部の環境の温度（外気温度）を意味する。
【００６７】
温度センサ２０は、例えば、反射型表示装置１０の外観を構成する筐体の内部に収容された電圧印加制御部１９等が設けられる回路基板上に設けられるが、その設置位置は特に限定されるものではない。なお、当該回路基板に温度センサ２０が設けられる場合には、温度センサ２０が環境温度に良好に追従できるように、温度センサ２０を外気に連通させるための連通孔などが反射型表示装置１０の筐体に設けられていることが好ましい。  本実施の形態では、電圧印加制御部１９は、表示書き換え工程を行う毎に温度センサ２０により検出された環境温度を、例えばケルビン（Ｋ）単位で読み出し、当該環境温度の積算値、すなわちその時点までに読み出した環境温度の総和が所定の値、例えば１００００Ｋを超えた時にリセットタイミングを決定するように構成されている。
【００６８】
次に、このような構成からなる反射型表示装置１０の駆動方法の一例について、図３および図４を参照して説明する。
【００６９】
図３に示すように、初期状態では、反射型表示装置１０の共通電極１２側（視認側）に、数字の「８」を表す初期画像が表示されている。すなわち、第１乃至第７表示領域１８ａ〜１８ｇには黒色が表示されており、第８表示領域１８ｈには白色が表示されている。ここでは、環境温度の積算値がその時点までに９０００Ｋとなっている場合を考える。
【００７０】
まず、図３に示すように、数字の「８」を表す初期画像から、数字の「６」を表す第１画像に表示を書き換える工程を説明する。
【００７１】
この場合、電圧印加制御部１９は、まず、温度センサ２０により検出された環境温度、例えば３００Ｋを読み出し、環境温度の積算値、すなわち９０００＋３００＝９３００Ｋを所定の値、すなわち１００００Ｋと比較する。ここでは、環境温度の積算値が所定の値以下であるため、電圧印加制御部１９は、リセットタイミングを決定しない。
【００７２】
したがって、電圧印加制御部１９は、リセット工程を行わずに、表示書き換え工程を行って、数字の「６」を表す第１画像に表示を書き換える。すなわち、電圧印加制御部１９は、共通電極１２と第１、第２、第４乃至第８表示電極１５ａ、１５ｂ、１５ｄ〜１５ｈに、第３電位（すなわち＋１５Ｖ）を接続する。これにより、第１、第２、第４乃至第８表示領域１８ａ、１８ｂ、１８ｄ〜１８ｈの表示色は、そのまま保持される。一方、電圧印加制御部１９は、第３表示電極１５ｃに、第２電位（すなわち０Ｖ）を所定の書き込み時間長、例えば３００ｍｓ〜４００ｍｓだけ接続し、その後第３電位（すなわち＋１５Ｖ）を接続する。これにより、第３表示領域１８ｃの表示色は、黒色から白色に切り替わる。ここで、表示書き換えが行われた第３表示領域１８ｃでは、電気泳動粒子の一部が共通電極１２および第３表示電極１５ｃに強く付着する可能性がある。
【００７３】
次に、図３に示すように、数字の「６」を表す第１画像から、数字の「３」を表す第２画像に表示を書き換える工程を説明する。
【００７４】
この場合、電圧印加制御部１９は、まず、温度センサ２０により検出された環境温度、例えば３０１Ｋを読み出し、環境温度の積算値、すなわち９３００＋３０１＝９６０１Ｋを所定の値、すなわち１００００Ｋと比較する。ここでは、環境温度の積算値が所定の値以下であるため、電圧印加制御部１９は、リセットタイミングを決定しない。
【００７５】
したがって、電圧印加制御部１９は、リセット工程を行わずに、表示書き換え工程を行って、数字の「３」を表す第２画像に表示を書き換える。すなわち、電圧印加制御部１９は、共通電極１２と第１、第４、第６乃至第８表示電極１５ａ、１５ｄ、１５ｆ〜１５ｈに、第３電位（すなわち＋１５Ｖ）を接続する。これにより、第１、第４、第６乃至第８表示領域１８ａ、１８ｄ、１８ｆ〜１８ｈの表示色は、そのまま保持される。一方、電圧印加制御部１９は、第２、第５表示電極１５ｂ、１５ｅに、第２電位（すなわち０Ｖ）を所定の書き込み時間長、例えば３００ｍｓ〜４００ｍｓだけ接続し、その後第３電位（すなわち＋１５Ｖ）を接続する。これにより、第２、第５表示領域１８ｂ、１８ｅの表示色は、黒色から白色に切り替わる。また、電圧印加制御部１９は、第３表示電極１５ｃに、第１電位（すなわち＋３０Ｖ）を所定の書き込み時間長、例えば３００ｍｓ〜４００ｍｓだけ接続し、その後第３電位（すなわち＋１５Ｖ）を接続する。これにより、第３表示領域１８ｃの表示色は、白色から黒色に切り替わる。ここで、表示書き換えが行われた第２、第３、第５表示領域１８ｂ、１８ｃ、１８ｅでは、電気泳動粒子の一部が共通電極１２および第２、第３、第５表示電極１５ｂ、１５ｃ、１５ｅに強く付着する可能性がある。
【００７６】
次に、図３に示すように、数字の「３」を表す第２画像から、数字の「２」を表す第３画像に表示を書き換える工程を説明する。
【００７７】
この場合、電圧印加制御部１９は、まず、温度センサ２０により検出された環境温度、例えば３００Ｋを読み出し、環境温度の積算値、すなわち９６０１＋３００＝９９０１Ｋを所定の値、すなわち１００００Ｋと比較する。ここでは、環境温度の積算値が所定の値以下であるため、電圧印加制御部１９は、リセットタイミングを決定しない。
【００７８】
したがって、電圧印加制御部１９は、リセット工程を行わずに、表示書き換え工程を行って、数字の「２」を表す第３画像に表示を書き換える。すなわち、電圧印加制御部１９は、共通電極１２と第１乃至第４、第７、第８表示電極１５ａ〜１５ｄ、１５ｇ、１５ｈに、第３電位（すなわち＋１５Ｖ）を接続する。これにより、第１乃至第４、第７、第８表示領域１８ａ〜１８ｄ、１８ｇ、１８ｈの表示色は、そのまま保持される。一方、電圧印加制御部１９は、第５表示電極１５ｅに、第１電位（すなわち＋３０Ｖ）を所定の書き込み時間長、例えば３００ｍｓ〜４００ｍｓだけ接続し、その後第３電位（すなわち＋１５Ｖ）を接続する。これにより、第５表示領域１８ｅの表示色は、白色から黒色に切り替わる。また、電圧印加制御部１９は、第６表示電極１５ｆに、第２電位（すなわち０Ｖ）を所定の書き込み時間長、例えば３００ｍｓ〜４００ｍｓだけ接続し、その後第３電位（すなわち＋１５Ｖ）を接続する。これにより、第３表６領域１８ｆの表示色は、黒色から白色に切り替わる。ここで、表示書き換えが行われた第５、第６表示領域１８ｅ、１８ｆでは、電気泳動粒子の一部が共通電極１２および第５、第６表示電極１５ｅ、１５ｆに強く付着する可能性がある。  次に、図４に示すように、数字の「２」を表す第３画像から、数字の「６」を表す第４画像に表示を書き換える工程を説明する。
【００７９】
この場合、電圧印加制御部１９は、まず、温度センサ２０により検出された環境温度、例えば３０２Ｋを読み出し、環境温度の積算値、すなわち９９０１＋３０２＝１０２０３Ｋを所定の値、すなわち１００００Ｋと比較する。ここでは、環境温度の積算値が所定の値を超えたため、電圧印加制御部１９は、リセットタイミングを決定する。
【００８０】
そして、電圧印加制御部１９は、このリセットタイミングにおいて、リセット工程を行う。すなわち、電圧印加制御部１９は、まず、共通電極１２と第２、第６、第８表示電極１５ｂ、１５ｆ、１５ｈに、第３電位（すなわち＋１５Ｖ）を接続する。これにより、第２、第６、第８表示領域１８ｂ、１８ｆ、１８ｈの表示色は、白色のまま保持される。一方、電圧印加制御部１９は、第１、第３乃至第５、第７表示電極１５ａ、１５ｃ〜１５ｅ、１５ｇに、第２電位（すなわち＋０Ｖ）を所定の書き込み時間長、例えば３００ｍｓ〜４００ｍｓだけ接続する。これにより、第１、第３乃至第５、第７表示領域１８ａ、１８ｃ〜１８ｅ、１８ｇの表示色は、黒色から白色に切り替わる。以上により、各表示領域１８ａ〜１８ｈの表示色は、白色に揃えられる。
【００８１】
次に、電圧印加制御部１９は、共通電極１２には第３電位（すなわち＋１５Ｖ）を接続し、各表示電極１５ａ〜１５ｈには第１電位（すなわち＋３０Ｖ）を接続する第１リセットステップと、共通電極１２には第３電位（すなわち＋１５Ｖ）を接続し、各表示電極１５ａ〜１５ｈには第２電位（すなわち０Ｖ）を接続する第２リセットステップと、を交互に繰り返す。第１リセットステップにおける電圧印加時間長は、例えば３００ｍｓ〜４００ｍｓであり、第２リセットステップにおける電圧印加時間長は、例えば３００ｍｓ〜４００ｍｓである。
【００８２】
第１リセットステップでは、共通電極１２の電位に対する各表示電極１５ａ〜１５ｈの電位の極性が正となり、負に帯電した白色の電気泳動粒子が各表示電極１５ａ〜１５ｈ側に移動すると共に、正に帯電した黒色の電気泳動粒子が共通電極１２側に移動して、各表示領域１８ａ〜１８ｈには黒色が表示される。
【００８３】
また、第２リセットステップでは、共通電極１２の電位に対する各表示電極１５ａ〜１５ｈの電位の極性が負となり、負に帯電した白色の電気泳動粒子が共通電極１２側に移動すると共に、正に帯電した黒色の電気泳動粒子が各表示電極１５ａ〜１５ｈ側に移動して、各表示領域１８ａ〜１８ｈには白色が表示される。
【００８４】
このような第１リセットステップと第２リセットステップとが交互に行われることで、共通電極１２と各表示電極１５ａ〜１５ｈとの間において電気泳動粒子が強制的に往復移動され、表示媒体１３が掻き混ぜられる。そして、流動する表示媒体１３の圧力により、共通電極１２または表示電極に付着していた電気泳動粒子が引き剥がされ得る。
【００８５】
必ずしも必須では無いが、この後でさらに第１ステップを行っても良いし、第１ステップと第２ステップとを交互に複数回繰り返しても良い。この場合、表示媒体１３が一層効果的に掻き混ぜられ、流動する表示媒体１３の圧力が増大するため、共通電極１２または表示電極に付着していた電気泳動粒子を一層効率的に引き剥がすことができる。
【００８６】
図４に示すように、本実施の形態では、リセット工程が第２リセットステップで終わるようになっており、リセット工程の直後には、各表示領域１８ａ〜１８ｈに白色が表示されている。
【００８７】
電圧印加制御部１９は、以上のようなリセット工程を行った後、表示書き換え工程を行って、数字の「６」を表す第４画像に表示を書き換える。すなわち、電圧印加制御部１９は、共通電極１２と第３、第８表示電極１５ｃ、１５ｈに、第３電位（すなわち＋１５Ｖ）を接続する。これにより、第３、第８表示領域１８ｃ、１８ｈの表示色は、白色のまま保持される。一方、電圧印加制御部１９は、第１、第２、第４乃至第７表示電極１５ａ、１５ｂ、１５ｄ〜１５ｇに、第１電位（すなわち＋３０Ｖ）を所定の書き込み時間長、例えば３００ｍｓ〜４００ｍｓだけ接続し、その後第３電位（すなわち＋１５Ｖ）を接続する。これにより、第１、第２、第４乃至第７表示領域１８ａ、１８ｂ、１８ｄ〜１８ｇの表示色は、白色から黒色に切り替わる。
【００８８】
以上のように、反射型表示装置１０では、表示書き換え工程を連続して繰り返すことで、表示書き換え毎に共通電極１２または表示電極に付着して離れない電気泳動粒子の数が増えていき、残像が蓄積されていくが、本実施の形態によれば、電圧印加制御部１９が、表示書き換え工程の繰り返し回数に基づくリセットタイミングにおいて、２枚の基板１１、１６間に互いに逆向きの第１電界と第２電界とを交互に与えることで、２枚の基板１１、１６間において電気泳動粒子が強制的に往復移動されて、表示媒体１３が掻き混ぜられ、流動する表示媒体１３の圧力により電極に付着した電気泳動粒子が引き剥がされる。これにより、連続駆動による残像の蓄積を抑制できる。
【００８９】
また、通常、反射型表示装置１０が使用される環境の温度が高いほど、表示媒体１３の粘度が低く、電気泳動粒子が動きやすい。そのため、表示書き換え時の電圧印加時間長が環境の温度によらずに一定である場合、環境の温度が高いほど表示書き換え毎の電圧印加が過剰となり、電気泳動粒子が電極に付着しやすくなる。しかしながら、本実施の形態によれば、電圧印加制御部１９が、表示書き換え工程の繰り返し回数および環境温度に基づいてリセットタイミングを決定することで、より詳しくは、環境温度が高いほどより少ない表示書き換え回数でリセットタイミングを決定することで、連続駆動による残像の蓄積を、環境温度の影響を考慮して一層効果的に抑制できる。
【００９０】
なお、本実施の形態では、電圧印加制御部１９は、表示書き換え工程の繰り返し回数および環境温度に基づいてリセットタイミングが決定するように構成されていたが、これに限定されず、電圧印加制御部１９は、環境温度にかかわらず表示書き換え工程の繰り返し回数に基づいてリセットタイミングを決定するように構成されていてもよい。言い換えれば、電圧印加制御部１９は、環境温度にかかわらず表示書き換え工程を所定の回数（例えば、１００回）繰り返す毎にリセット工程を行うように構成されていてもよい。この場合、温度センサ２０を省略することができ、装置構成が簡易になる。
【００９１】
また、本実施の形態では、電圧印加制御部１９は、表示書き換え工程の繰り返し回数に基づくリセットタイミングにおいて、リセット工程を行うように構成されていたが、これに限定されず、表示書き換え工程の有無にかかわらず経過する時間長に基づくリセットタイミングにおいて、リセット工程を行うように構成されていてもよい（第２の実施の形態）。より詳しくは、第２の実施の形態における電圧印加制御部１９は、表示書き換え工程の有無にかかわらず経過する時間長に基づくリセットタイミングにおいて、共通電極１２には第３電位（すなわち＋１５Ｖ）を接続し、各表示電極１５ａ〜１５ｈには第１電位（すなわち＋３０Ｖ）を接続することで、各表示領域１８ａ〜１８ｈに黒色を表示させる第１リセットステップと、共通電極１２には第３電位（すなわち＋１５Ｖ）を接続し、各表示電極１５ａ〜１５ｈには第２電位（すなわち０Ｖ）を接続することで、各表示領域１８ａ〜１８ｈに白色を表示させる第２リセットステップと、を交互に行うように構成されている。第２の実施の形態では、電圧印加制御部１９は、リセット工程を第１リセットステップから開始するように構成されているが、これに限定されず、リセット工程を第２リセットステップから開始するように構成されていてもよい。
【００９２】
また、第２の実施の形態における電圧印加制御部１９は、表示書き換え工程の有無にかかわらず経過する時間長、および、温度センサ２０により検出された環境温度に基づいてリセットタイミングを決定するように構成されている。
【００９３】
具体的には、例えば、電圧印加制御部１９は、所定の時間周期（例えば、１０分毎）で温度センサ２０により検出された環境温度を、例えばケルビン（Ｋ）単位で読み出し、当該環境温度の積算値が所定の値、例えば５００００Ｋを超えた時にリセットタイミングを決定するように構成されている。
【００９４】
次に、このような構成からなる第２の実施の形態による反射型表示装置の駆動方法の一例について、図３および図５を参照して説明する。
【００９５】
ここでは、環境温度の積算値がその時点までに４９０００Ｋとなっている場合を考える。
【００９６】
まず、電圧印加制御部１９は、表示書き換え工程の有無にかかわらず、例えば、反射型表示装置の電源投入後から１０分が経過したら、温度センサ２０により検出された環境温度、例えば３００Ｋを読み出し、環境温度の積算値、すなわち４９０００＋３００＝４９３００Ｋを所定の値、すなわち５００００Ｋと比較する。ここでは、環境温度の積算値が所定の値以下であるため、電圧印加制御部１９は、リセットタイミングを決定しない。
【００９７】
次に、図３に示すように、電圧印加制御部１９は、第１の実施の形態と同様に表示書き換え工程を行うことで、数字の「８」を表す初期画像から、数字の「６」を表す第１画像に表示を書き換える。
【００９８】
一方、電圧印加制御部１９は、表示書き換え工程の有無にかかわらず、次の１０分が経過したら、すなわち反射型表示装置の電源投入後から２０分が経過したら、温度センサ２０により検出された環境温度、例えば３０１Ｋを読み出し、環境温度の積算値、すなわち４９３００＋３０１＝４９６０１Ｋを所定の値、すなわち５００００Ｋと比較する。ここでは、環境温度の積算値が所定の値以下であるため、電圧印加制御部１９は、リセットタイミングを決定しない。
【００９９】
次に、図３に示すように、電圧印加制御部１９は、第１の実施の形態と同様に表示書き換え工程を行うことで、数字の「３」を表す第２画像から、数字の「２」を表す第３画像に表示を書き換える。
【０１００】
一方、電圧印加制御部１９は、表示書き換え工程の有無にかかわらず、次の１０分が経過したら、すなわち反射型表示装置の電源投入後から３０分が経過したら、温度センサ２０により検出された環境温度、例えば３００Ｋを読み出し、環境温度の積算値、すなわち４９６０１＋３００＝４９９０１Ｋを所定の値、すなわち５００００Ｋと比較する。ここでは、環境温度の積算値が所定の値以下であるため、電圧印加制御部１９は、リセットタイミングを決定しない。
【０１０１】
ここまでの工程では、第１、第４、第７、第８表示領域１８ａ、１８ｄ、１８ｇ、１８ｈにおいて、表示書き換えが行われておらず、言い換えれば電源投入後から３０分以上放置された状態にあることに留意すべきである。第１、第４、第７、第８表示領域１８ａ、１８ｄ、１８ｇ、１８ｈでは、表示媒体１３の流動性が低下し、すなわち粘性が高まることで、応答速度が鈍化している。  電圧印加制御部１９は、表示書き換え工程の有無にかかわらず、次の１０分が経過したら、すなわち反射型表示装置の電源投入後から４０分が経過したら、温度センサ２０により検出された環境温度、例えば３０２Ｋを読み出し、環境温度の積算値、すなわち４９９０１＋３０２＝５０２０３Ｋを所定の値、すなわち５００００Ｋと比較する。ここでは、環境温度の積算値が所定の値を超えたため、電圧印加制御部１９は、リセットタイミングを決定する。
【０１０２】
そして、電圧印加制御部１９は、このリセットタイミングにおいて、リセット工程を行う。すなわち、図５に示すように、電圧印加制御部１９は、まず、共通電極１２と第２、第６、第８表示電極１５ｂ、１５ｆ、１５ｈに、第３電位（すなわち＋１５Ｖ）を接続する。これにより、第２、第６、第８表示領域１８ｂ、１８ｆ、１８ｈの表示色は、白色のまま保持される。一方、電圧印加制御部１９は、第１、第３乃至第５、第７表示電極１５ａ、１５ｃ〜１５ｅ、１５ｇに、第２電位（すなわち＋０Ｖ）を所定の書き込み時間長、例えば３００ｍｓ〜４００ｍｓだけ接続する。これにより、第１、第３乃至第５、第７表示領域１８ａ、１８ｃ〜１８ｅ、１８ｇの表示色は、黒色から白色に切り替わる。以上により、各表示領域１８ａ〜１８ｈの表示色は、白色に揃えられる。
【０１０３】
次に、電圧印加制御部１９は、共通電極１２には第３電位（すなわち＋１５Ｖ）を接続し、各表示電極１５ａ〜１５ｈには第１電位（すなわち＋３０Ｖ）を接続する第１リセットステップと、共通電極１２には第３電位（すなわち＋１５Ｖ）を接続し、各表示電極１５ａ〜１５ｈには第２電位（すなわち０Ｖ）を接続する第２リセットステップと、を交互に繰り返す。第１リセットステップにおける電圧印加時間長は、例えば３００ｍｓ〜４００ｍｓであり、第２リセットステップにおける電圧印加時間長は、例えば３００ｍｓ〜４００ｍｓである。
【０１０４】
第１リセットステップでは、共通電極１２の電位に対する各表示電極１５ａ〜１５ｈの電位の極性が正となり、負に帯電した白色の電気泳動粒子が各表示電極１５ａ〜１５ｈ側に移動すると共に、正に帯電した黒色の電気泳動粒子が共通電極１２側に移動して、各表示領域１８ａ〜１８ｈには黒色が表示される。
【０１０５】
また、第２リセットステップでは、共通電極１２の電位に対する各表示電極１５ａ〜１５ｈの電位の極性が負となり、負に帯電した白色の電気泳動粒子が共通電極１２側に移動すると共に、正に帯電した黒色の電気泳動粒子が各表示電極１５ａ〜１５ｈ側に移動して、各表示領域１８ａ〜１８ｈには白色が表示される。
【０１０６】
このような第１リセットステップと第２リセットステップとが交互に行われることで、共通電極１２と各表示電極１５ａ〜１５ｈとの間において電気泳動粒子が強制的に往復移動され、表示媒体１３が掻き混ぜられ、特に長期放置されていた第１、第４、第７、第８表示領域１８ａ、１８ｄ、１８ｇ、１８ｈにおいて、表示媒体１３の流動性が向上する。その結果、各表示領域１８ａ〜１８ｈにおける応答速度のバラツキが低減する。
【０１０７】
必ずしも必須では無いが、この後でさらに第１ステップを行っても良いし、第１ステップと第２ステップとを交互に繰り返しても良い。この場合、表示媒体１３が一層効果的に掻き混ぜられ、各表示領域１８ａ〜１８ｈにおける応答速度のバラツキが一層低減する。
【０１０８】
図５に示すように、第２の実施の形態では、リセット工程が第２リセットステップで終わるようになっており、リセット工程の直後には、各表示領域１８ａ〜１８ｈに白色が表示されている。
【０１０９】
電圧印加制御部１９は、以上のようなリセット工程を行った後、表示書き換え工程を行って元の画像、すなわち第３画像に表示を書き換える。すなわち、電圧印加制御部１９は、共通電極１２と第２、第６、第８表示電極１５ｂ、１５ｆ、１５ｈに、第３電位（すなわち＋１５Ｖ）を接続する。これにより、第２、第６、第８表示領域１８ｂ、１８ｆ、１８ｈの表示色は、白色のまま保持される。一方、電圧印加制御部１９は、第１、第３乃至第５、第７表示電極１５ａ、１５ｃ〜１５ｅ、１５ｇに、第１電位（すなわち＋３０Ｖ）を所定の書き込み時間長、例えば３００ｍｓ〜４００ｍｓだけ接続し、その後第３電位（すなわち＋１５Ｖ）を接続する。これにより、第１、第３乃至第５、第７表示領域１８ａ、１８ｃ〜１８ｅ、１８ｇの表示色は、白色から黒色に切り替わる。
【０１１０】
以上のように、反射型表示装置１０では、表示書き換えが行われずに長時間放置された表示領域では、表示媒体１３の流動性が低下する、すなわち粘性が高まることで、応答速度が鈍化するが、第２の実施の形態によれば、電圧印加制御部１９が、表示書き換え工程の有無にかかわらず経過する時間長に基づくリセットタイミングにおいて、２枚の基板１１、１６間に互いに逆向きの第１電界と第２電界とを交互に与えることで、２枚の基板１１、１６間において電気泳動粒子が強制的に往復移動されて、表示媒体１３が掻き混ぜられ、表示媒体１３の流動性が高められる。これにより、長期放置されていた表示領域における応答速度の鈍化が抑制され、各表示領域１８ａ〜１８ｈにおける応答速度のバラツキが低減される。
【０１１１】
また、通常、放置される環境の温度が高いほど、表示媒体１３が固まりやすい。しかしながら、第２実施の形態によれば、電圧印加制御部１９が、表示書き換え工程の有無にかかわらず経過する時間長および環境温度に基づいてリセットタイミングを決定することで、より詳しくは、環境温度が高いほどより短い経過時間長でリセットタイミングを決定することで、各表示領域１８ａ〜１８ｈにおける応答速度のバラツキを、環境温度の影響を考慮して一層効果的に抑制できる。
【０１１２】
なお、第２の実施の形態では、電圧印加制御部１９は、表示書き換え工程の有無にかかわらず経過する時間長および環境温度に基づいてリセットタイミングが決定するように構成されていたが、これに限定されず、電圧印加制御部１９は、環境温度にかかわらず、前記経過する時間長に基づいてリセットタイミングを決定するように構成されていてもよい。言い換えれば、電圧印加制御部１９は、環境温度にかかわらず表示書き換え工程を所定の時間長（例えば、３０分）が経過する毎にリセット工程を行うように構成されていてもよい。この場合、温度センサ２０を省略することができ、装置構成が簡易になる。
【０１１３】
なお、第１の実施の形態および第２の実施の形態では、リセット工程において２枚の基板１１、１６間に与えられる第１電界の大きさおよび第２電界の大きさは、それぞれ、表示書き換え工程において２枚の基板１１、１６間に与えられる電界の大きさと同じであった、これに限定されず、リセット工程において２枚の基板１１、１６間に与えられる第１電界の大きさおよび第２電界の大きさは、それぞれ、表示書き換え工程において２枚の基板１１、１６間に与えられる電界の大きさより大きくてもよい。具体的には、例えば、電圧印加制御部１９は、リセットタイミングにおいて、共通電極１２には第２電位（すなわち＋０Ｖ）を接続し、各表示電極１５ａ〜１５ｈには第１電位（すなわち＋３０Ｖ）を接続することで、各表示領域１８ａ〜１８ｈに黒色を表示させる第１リセットステップと、共通電極１２には第１電位（すなわち＋３０Ｖ）を接続し、各表示電極１５ａ〜１５ｈには第２電位（すなわち０Ｖ）を接続することで、各表示領域１８ａ〜１８ｈに白色を表示させる第２リセットステップと、を交互に行うように構成されていてもよい。この場合、２枚の基板１１、１６間に書き込み時の印加電圧の２倍程度の大きさの電圧が印加されるため、電気泳動粒子の移動速度が書き込み時の移動速度に比べて速く、電気泳動粒子の１往復あたりにかかる時間が短縮される。したがって、書き込み時と同じ電圧を利用する場合と比べて、第１リセットステップおよび第２リセットステップの繰り返し回数を少なくできるとともに、第１リセットステップおよび第２リセットステップの各々における電圧印加時間長を短く設定できる。
【０１１４】
なお、第１の実施の形態および第２の実施の形態では、表示媒体１３に電気応答性材料として電気泳動粒子が含まれていたが、これに限定されず、例えば、表示媒体１３に電気応答性材料としてツイストボールに代表される回転粒子が含まれていてもよい。ツイストボール方式の反射型表示装置では、回転粒子同士の凝集による動作不良が長期放置や連続駆動により引き起こされる。すなわち、ツイストボール方式の反射型表示装置では、長期放置や連続駆動により回転粒子同士に凝集が生じるが、一旦凝集が生じるとその安定した状態を保持しようとする傾向が働くため、応答速度が鈍化する。しかしながら、第１の実施の形態または第２の実施の形態と同様に、表示書き換え工程の繰り返し回数に基づくリセットタイミングにおいて、または、表示書き換え工程の有無にかかわらず経過する時間長に基づくリセットタイミングにおいて、リセット工程として第１リセットステップと第２リセットステップとを交互に行うことで、２枚の基板間において回転粒子が強制的に回転され、回転粒子同士の凝集が解消され得る。したがって、長期放置または連続駆動による動作不良、すなわち応答速度の鈍化を解消することができる。
【符号の説明】
【０１１５】
１０      反射型表示装置
１１      一方の基板
１２      共通電極
１３      表示媒体
１４      隔壁
１５ａ〜１５ｈ    表示電極
１６      他方の基板
１７      外周シール
１８ａ〜１８ｈ    表示領域
１９      電圧印加制御部
【図１】
0006440010.tif 000002
【図２】
0006440010.tif 000003
【図３】
0006440010.tif 000004
【図４】
0006440010.tif 000005
【図５】
0006440010.tif 000006